(57)【要約】【課題】  天井据付機器を容易かつ迅速に取り付けできる天井据付機器用支持装置およびこれを用いた支持方法を提供する。【解決手段】  平行に配置された野縁３，４間に掛け渡され、天井据付機器９を支持する横断面コ字形の支持部材１４と、この支持部材１４の両端に取り付けられて、支持部材１４を野縁３，４に係止する係止具１５と、前記支持部材１４に天井据付機器９を連結する連結機構１６とを備え、この連結機構１６は，前記支持部材１４の両側壁１４ｂに設けた係合孔１７と、頭部１８ａが前記係合孔１７に係合して両側壁１４ｂに支持されるボルト１８と、このボルト１８に螺合して天井据付機器９を支持するナット１９とを有している。【選択図】  図２
2006070561.tif 000002
【特許請求の範囲】
【請求項１】
平行に配置された野縁間に掛け渡され、天井据付機器を支持する横断面コ字形の支持部材と、この支持部材の両端に取り付けられて、支持部材を野縁に係止する係止具と、前記支持部材に天井据付機器を連結する連結機構とを備え、
前記連結機構は，前記支持部材の両側壁に設けた係合孔と、頭部が前記係合孔に係合して両側壁に支持されるボルトと、このボルトに螺合して天井据付機器を支持するナットとを有している天井据付機器用支持装置。
【請求項２】
平行に配置された野縁間に掛け渡され、天井据付機器を支持する横断面コ字形の支持部材と、この支持部材の両端に取り付けられて、支持部材を野縁に係止する係止具と、前記支持部材に天井据付機器を連結する連結機構とを備え、
前記連結機構は、前記支持部材の両側壁に設けた係合孔と、支軸部が前記係合孔に係合して両側壁に支持される連結部材と、この連結部材に螺合して天井据付機器を支持するナットとを有し、
前記連結部材は、前記支軸部から支軸部の軸心と直交する互いに異なる第１および第２の方向にそれぞれ延び、長さが相異なる第１および第２の雄ねじ部とを有し、選択された一方の雄ねじ部に前記ナットが螺合される天井据付機器用支持装置。
【請求項３】
平行に配置された野縁間に掛け渡され、天井据付機器を支持する横断面コ字形の支持部材と、この支持部材の両端に取り付けられて、支持部材を野縁に係止する係止具と、前記支持部材に天井据付機器を連結する連結機構とを備え、
前記連結機構は、前記支持部材の両側壁に設けた係合孔と、頭部が前記係合孔に係合して両側壁に支持される連結部材と、この連結部材に形成したねじ孔に螺合して天井据付機器を支持するねじ体とを有している天井据付機器用支持装置。
【請求項４】
平行に配置された野縁間に掛け渡され、天井据付機器を支持する横断面コ字形の支持部材と、この支持部材の両端に取り付けられて、支持部材を野縁に係止する係止具と、前記支持部材に天井据付機器を連結する連結機構とを備え、
前記連結機構は、天井据付機器に設けた一対の支柱と、両端部に前記支柱に挿通される挿通孔を有し、中央部が前記支持部材に上下動可能に支持された連結部材とを有し、
前記連結部材は、前記中央部に設けた操作部と、前記中央部と両端部とを結合し、下動操作により変形して、その弾性復元力により前記挿通孔を支柱に噛み込ませる中間結合部と、前記下動した位置で連結部材の中央部の下方への移動を阻止する下動規制部とを備えた天井据付機器用支持装置。
【請求項５】
請求項１から４の天井据付機器用支持装置のいずれか１つを用いた天井据付機器の支持方法。
【発明の詳細な説明】
【技術分野】
【０００１】
本発明は、主としてビルディングなどの鉄筋コンクリートまたは鉄骨の建造物の事務所や店舗などの天井に据え付けられる照明器具、案内表示板、スピーカ、煙感知器などの天井据付機器を支持する支持装置に関するものである。
【背景技術】
【０００２】
従来から、この種の照明器具や案内表示板を天井に吊り下げる方法としては、以下の方法が知られている。（１）建造物のコンクリート型枠の所定位置にインサートスタットを取り付け、コンクリート打設後に、全ねじボルトを所定長さに切りそろえて各種の器具を取り付ける。（２）コンクリート打設後に、アンカードリルで孔を明け、アンカーボルトを差し込んで各種の器具を取り付ける。（３）野縁受け材（Ｃバー）に取り付ける各種の支持金具を利用して、各種の機器を取り付ける (例えば、特許文献１参照)。
【特許文献１】特開２００２−１６７８９８号公報
【発明の開示】
【発明が解決しようとする課題】
【０００３】
従来の（１）、（２）の方法は、現場での作業工数が多く、また位置出しが容易でなく、作業に時間と手間がかかる。また、従来の（３）の方法は、野縁受け材に取り付けるための支持金具の部品点数が多くなり、構成が複雑でその分、多くの手間と費用がかかる。
【０００４】
本発明は、前記の問題点を解決して、天井据付機器の天井側への取り付けを迅速かつ容易に行って施工性を高めることできる天井据付機器用支持装置およびこれを用いた支持方法を提供することを目的としている。
【課題を解決するための手段】
【０００５】
前記目的を達成するために、本発明にかかる天井据付機器用支持装置の第１の構成は、平行に配置された野縁間に掛け渡され、天井据付機器を支持する横断面コ字形の支持部材と、この支持部材の両端に取り付けられて、支持部材を野縁に係止する係止具と、前記支持部材に天井据付機器を連結する連結機構とを備え、この連結機構は，前記支持部材の両側壁に設けた係合孔と、頭部が前記係合孔に係合して両側壁に支持されるボルトと、このボルトに螺合して天井据付機器を支持するナットとを有している。
【０００６】
この構成によれば、支持部材の両側壁の開口側からボルトの頭部を差し込んで、この頭部を前記支持部材の両側壁に設けた係合孔に係合させることにより、ボルトの支持部材への支持が迅速かつ容易に行える。また、このボルトに天井据付機器を挿入してボルトの端部にナットを螺合することにより、ボルトへの天井据付機器の取り付けも迅速かつ容易に行える。このため、天井側への天井据付機器の取り付け施工性が高められる。
【０００７】
本発明にかかる天井据付機器用支持装置の第２の構成は、平行に配置された野縁間に掛け渡され、天井据付機器を支持する横断面コ字形の支持部材と、この支持部材の両端に取り付けられて、支持部材を野縁に係止する係止具と、前記支持部材に天井据付機器を連結する連結機構とを備え、この前記連結機構は、前記支持部材の両側壁に設けた係合孔と、支軸部が前記係合孔に係合して両側壁に支持される連結部材と、この連結部材に螺合して天井据付機器を支持するナットとを有し、前記連結部材は、前記支軸部から支軸部の軸心と直交する互いに異なる第１および第２の方向にそれぞれ延び、長さが相異なる第１および第２の雄ねじ部とを有し、選択された一方の雄ねじ部に前記ナットが螺合される。
【０００８】
この構成によれば、支持部材の両側壁の開口側から連結部材の支軸部を差し込んで、この支軸部を前記支持部材の両側壁に設けた係合孔に係合させて支持し、前記支軸部に設けた長さの異なる第１および第２の雄ねじ部のいずれか一方を選択して、この選択された雄ねじ部にナットを介して天井据付機器を取り付けることにより、第１の構成の場合と同様に、天井据付機器の天井側への取り付けを迅速かつ容易に行えて施工性が高められる。また、前記連結部材の支軸部には、互いに異なる方向に延び、長さが相異なる第１および第２の雄ねじ部が設けられているので、前記支軸部を係合孔に中心に回転させて、第１および第２雄ねじ部の長短いずれか一方を選択して、この選択された雄ねじ部にナットを介して天井据付機器を取り付けることにより、例えば天井埋め込み式や天井直付け式のように、天井に対する据付高さの異なる天井据付機器を取り付ける場合に1つの連結部材で対応可能となる。
【０００９】
本発明にかかる天井据付機器用支持装置の第３の構成は、平行に配置された野縁間に掛け渡され、天井据付機器を支持する横断面コ字形の支持部材と、この支持部材の両端に取り付けられて、支持部材を野縁に係止する係止具と、前記支持部材に天井据付機器を連結する連結機構とを備え、この連結機構は、前記支持部材の両側壁に設けた係合孔と、頭部が前記係合孔に係合して両側壁に支持される連結部材と、この連結部材に形成したねじ孔に螺合して天井据付機器を支持するねじ体とを有している。
【００１０】
この構成によれば、支持部材の両側壁の開口側からねじ孔を有する連結部材を差し込んで、この連結部材を前記支持部材の両側壁に設けた係合孔に係合させて支持し、前記連結部材のねじ孔にねじ体を介して天井据付機器を取り付けることにより、天井仕上材の厚みの変動（違い）にも対応可能となり、また第１の構成の場合と同様に、天井据付機器の天井側への取り付けを迅速かつ容易に行えて施工性が高められる。
【００１１】
本発明にかかる天井据付機器用支持装置の第４の構成は、平行に配置された野縁間に掛け渡され、天井据付機器を支持する横断面コ字形の支持部材と、この支持部材の両端に取り付けられて、支持部材を野縁に係止する係止具と、前記支持部材に天井据付機器を連結する連結機構とを備え、この連結機構は、天井据付機器に設けた一対の支柱と、両端部に前記支柱に挿通される挿通孔を有し、中央部が前記支持部材に上下動可能に支持された連結部材とを有し、この連結部材は、前記中央部に設けた操作部と、前記中央部と両端部とを結合し、下動操作により変形して、その弾性復元力により前記挿通孔を支柱に噛み込ませる中間結合部と、前記下動した位置で連結部材の中央部の下方への移動を阻止する下動規制部とを備えている。
【００１２】
この構成によれば、天井据付機器に設けた一対の支柱を連結部材に形成した挿通孔に挿通させ、連結部材の操作部を下動操作して、その中間結合部の弾性復元力で前記挿通孔を支柱に噛み込ませ、下動規制部で連結部材の下方への移動を阻止して、前記連結部材を下動した状態に保持して天井据付機器を支持部材に支持させることにより、第１の構成の場合と同様に、天井据付機器の天井側への取り付けを迅速かつ容易に行えて施工性が高められる。
【００１３】
本発明にかかる天井据付機器用支持装置用いた天井据付機器の支持方法は、前記支持装置を用いて天井据付機器を支持するので、天井据付機器を容易かつ迅速に支持できる。
【発明の効果】
【００１４】
以上のように、本発明の天井据付機器用支持装置によれば、天井据付機器の天井側への取り付けを迅速かつ容易に行うことができて、施工性を高めることできる。
【発明を実施するための最良の形態】
【００１５】
以下、本発明の実施形態を図面にしたがって説明する。
図１は、本発明にかかる天井据付機器用支持装置１０による天井据付機器９の取付状態を示す上方からの斜視図である。同図において、天井スラブ（図示せず）には、軽量鉄骨からなる複数本の野縁受け材（Ｃバー）１が水平状態で所定のピッチＰ１（一般に９００ｍｍ）間隔で多数本の吊りボルト２を介して吊り下げられている。この各野縁受け材１には、軽量鉄骨からなる複数の野縁（Ｍバー）３、４が野縁受け材１に対し直交した水平状態で所定のピッチＰ２（一般に３００ｍｍ）間隔で平行に取り付けられ、さらに、野縁３、４には天井材としての天井仕上材７が取り付けられている。
【００１６】
図１においては、野縁３、４として、天井仕上材７を固定する小さな幅Ｗ１（例えば２５ｍｍ）の野縁３と、隣接する２枚の天井仕上材７を突き合わせて共に固定するための大きな幅Ｗ２（例えば５０ｍｍ）の野縁４との２種類が用いられている。野縁３、４は、その開口３ａ、４ａの両端にそれぞれ内方に向けて斜め下方へ突出する略Ｍ字形の突起部３ｂ、４ｂを備えている。
【００１７】
図２，図３は本発明にかかる天井据付機器用支持装置の第１の構成を示す正断面図であって、図２は天井据付機器を取り付ける前の状態を、図３は取り付け後の状態をそれぞれ示している。この実施形態では、天井据付機器を天井に埋め込で取り付ける天井埋め込み式のものを示しており、天井仕上材７の所定箇所には取付用開口８が形成されて、この開口８に例えば内部に蛍光灯などの照明用管球Ｌが取り付けられた照明器具のような天井据付機器９が埋め込んで取り付けられている。
【００１８】
図４，図５も本発明にかかる天井据付機器用支持装置の第１の構成を示す正断面図であって、図４は天井据付機器を取り付ける前の状態を、図５は取り付け後の状態をそれぞれ示している。この実施形態では、天井据付機器を天井に直接取り付ける直付け式のものを示しており、天井仕上材７に取付用開口８を形成することなく、天井仕上材７の下面に天井据付機器９が直接取り付けられている。
【００１９】
本発明の第１の構成にかかる天井据付機器用支持装置１０は、平行に配置された野縁３、４に対してほぼ直交する方向に延びて、この野縁３、４間に掛け渡され、照明器具９を支持する支持部材１４と、この支持部材１４の両端に取り付けられて、支持部材１４を野縁３、４に係止する係止具１５と、支持部材１４に天井据付機器９を連結する連結機構１６とを備えている。
【００２０】
前記支持装置１０において支持部材１４は、アルミニウム、鉄またはプラスチックのような板材からなり、上面壁１４ａと、これの幅方向両端から下方に対向状に延設した両側壁１４ｂ，１４ｂを備えた横断面コ字形状に形成されている。図の実施形態では，支持部材１４の開口部１４ｃを下にした下向きの状態で使用している。
【００２１】
図６は前記支持装置１０の係止具１５を拡大して示す斜視図である。この係止具１５は、例えば、１本の針金のような線材を折り曲げられてなり、支持部材１４の長手方向Ｘに並ぶ４本の第１〜４脚２３〜２６をもつ。これらの第１〜４脚２３〜２６は、曲げ変形による弾性力を有しており、支持部材１４の長手方向Ｘの進出位置と後退位置に移動自在である。第１〜４脚２３〜２６はその下部にそれぞれ外方へ突出し、つまり図６において、第１、２脚２３、２４は左方へ、第３、４脚２５、２６は右方へ突出する凸部２３ａ〜２６ａを有する。
【００２２】
また、前記係止具１５を支持部材１４に取り付けるために、第１脚２３と第２脚２４の下部間に支持部材１４の両側壁１４ｂの下側縁部と底部とに押し付けられるＬ字形の下取付部２７、第２脚２４と第３脚２５の上部間に支持部材１４の上面壁１４ａに押し付けられるＬ字形の上取付部２８、第３脚２５と第４脚２６の下部間に下取付部２７が形成され、第１脚２３と第４脚２６の上部には、側壁１４ｂの上側縁部に押し付けられる端取付部２９が形成されている。
【００２３】
前記係止具１５の凸部２３ａ〜２６ａは、野縁３、４に対する支持部材１４の任意の係止位置においてその上方から野縁３、４の開口３ａ、４ａに挿入されるとき、突起部３ｂ、４ｂに当接することにより、弾性力で第２脚２４の凸部２４ａと第３脚２５の凸部２５ａが、または、第１脚２３の凸部２３ａと第４脚２６の凸部２６ａがそれぞれ互いに近付くように内方へ移動して、その挿入を許す。この後、挿入された状態で突起部３ｂ、４ｂを越えると、弾性力により第２脚２４の凸部２４ａと第３脚２５の凸部２５ａが、または、第１脚２３の凸部２３ａと第４脚２６の凸部２６ａがそれぞれ互いに遠ざかるように外方へ移動して、野縁３、４の開口３ａ、４ａにおける突起部３ｂ、４ｂの内面で係止される。前記第２脚２４の凸部２４ａと第３脚２５の凸部２５ａは幅狭の野縁３に、また、前記第１脚２３の凸部２３ａと第４脚２６の凸部２６ａは幅広の野縁４に係止される。こうして、前記係止具１５を介して支持部材１４が野縁３，４に支持される。
【００２４】
一般に、建築内装に用いられる野縁３、４のピッチＰ２は正確でない場合が多いが、各脚２３〜２６は、その弾性力により支持部材１４の長手方向Ｘに移動可能なので、野縁３、４に支持部材１４を取り付ける際に、野縁３、４のピッチ誤差に対応可能となる。
【００２５】
図７は前記連結機構１６を拡大して示す斜視図である。この連結機構１６は、前記支持部材１４の両側壁１４ｂに形成した矩形状の係合孔１７と、これら両側壁１４ｂの幅間隔とほぼ同一の幅とされ、前記係合孔１７に係合して支持される直方体状の頭部１８ａおよび軸部１８ｂを有するボルト１８と、この軸部１８ｂのねじ部１８ｃに螺合して前記天井据付機器９を支持するナット１９とを備えている。図の実施形態では、前記頭部１８ａの両側壁１４ｂと対向する両側面に、この頭部１８ａと同形でやや小形とされた矩形突部１８ｄを外方に向かって一体に突出させ、一方、前記両側壁１４ｂには矩形突部１８ｄに係合する矩形状の係合孔１７を形成して、この係合孔１７に矩形突部１８ｄを係合させるようにしている。このとき、前記頭部１８ａにおける矩形突部１８ｄの周りが係合孔１７の周囲に当接して、前記ボルト１８の係合孔１７からの抜け止めとなる。
【００２６】
図８は前記連結機構１６の別の実施形態を示す斜視図である。この実施形態では、前記支持部材１４に対する前記ボルト１８の位置決めを行うために、支持部材１４の係合孔１７の上部でこれに近接した位置に細長い孔１７ａを形成するとともに、前記ボルト１８の矩形突部１８ｄの上面に細長い溝１８ｅを形成している。図９は前記支持部材１４に対する前記ボルト１８の位置決め状態を示す頭部１８ａの一部を切り欠いて示す正面図である。この図のように、前記係合孔１７にボルト１８の矩形突部１８ｄを係合させた後、前記細長い孔１７ａにドライバなどの工具を差し込んでこじながら、細長い１７ａと係合孔１７との間の壁部１７ｂを下方に屈曲させて前記矩形突部１８ｄの細長い溝１８ｅに噛み込ませることにより、前記ボルト１８の位置決めを行う。
【００２７】
次に、本発明の第１の構成にかかる天井据付機器用支持装置１０により天井据付機器９を据え付ける場合の手順について説明する。まず、天井埋め込み式の場合には、図２のように、予め、両端に係止具１５を取り付けた支持部材１４の下方開口部１４ｃにボルト１８を差し込み、支持部材１４の両側壁１４ｂを外方に押し広げるようにしてボルト１８の頭部１８ａを内方に押し込んで、この頭部１８ａの矩形突部１８ｄを前記両側壁１４ｂに形成した係合孔１７に係合させて、ボルト１８を支持部材１４に吊り下げ状に支持させて組み立てた状態のものを、支持部材１４を係止具１５により野縁３，４に係止することによって天井内に設置する。この後、ボルト１８に天井据付機器９の埋め込みタイプの台座９ａに設けた取り付け孔を挿通させながら、前記台座９ａを天井仕上材７の開口８に差し込み、前記ボルト１８の挿通端部にナット１９を螺合させることにより、このボルト１８を介して台座９ａを支持部材１４に取り付ける。さらに、台座９ａの中央下部に前記ナット１９を隠すように断面台形状のカバー９ｂを取り付け、また台座９ａのカバー９ｂの両側に照明用管球Ｌを取り付けて、図３のように、天井仕上材７に天井据付機器９を埋め込み状に据え付ける。前記台座９ａとカバー９ｂが、照明用管球Ｌの反射体となる。
【００２８】
また、天井直付け式の場合には、図４のように、前記天井埋め込み式のものよりも長いボルト１８を用い、これを天井仕上材７に形成した挿通孔７１から挿入させて、ボルト１８の頭部１８ａを前記場合と同様にして支持部材１４に支持させる。この後、ボルト１８に天井据付機器９の直付けタイプの台座９ｃに設けた取り付け孔を挿通させて、このボルト１８の挿通端部にナット１９を螺合させることにより、台座９ｃを支持部材１４に取り付ける。さらに、台座９ｃの下部に断面三角形状の反射カバー９ｄを取り付け、またカバー９ｄの両側に照明用管球Ｌを取り付けて、図５のように、天井仕上材７の下面に天井据付機器９を直付けする。
【００２９】
以上の第１の構成によれば、支持部材１４の両側壁１４ａに設けた係合孔１７へのボルト１８の支持が迅速かつ容易に行えるので、このボルト１８に天井据付機器９の台座９ａまたは９ｃに設けた取り付け孔を挿入して、ボルト１８の端部にナット１９を螺合することにより、ボルト１８への天井据付機器９の取り付けを迅速かつ容易に行える。このため、天井埋め込み式や天井直付け式天井据付機器９のいずれの場合にも天井側への取り付け施工性が高められる。
【００３０】
図１０，図１１は本発明にかかる天井据付機器用支持装置の第２の構成を示す正断面図であって、図１０は天井据付機器を取り付ける前の状態を、図１１は取り付け後の状態をそれぞれ示している。この実施形態では、天井埋め込み式のものを示しており、図２，図３の場合と同じく天井仕上材７の所定箇所には取付用開口８が形成されて、この開口８に例えば内部に蛍光灯などの照明用管球Ｌが取り付けられた照明器具のような天井据付機器９が埋め込み状に取り付けられる。
【００３１】
図１２，図１３は、本発明の第２の構成にかかる支持装置により天井据付機器を天井に直付けする場合の実施形態を示す正断面図であって、図１２は天井据付機器を取り付ける前の状態を、図１３は取り付け後の状態をそれぞれ示している。この実施形態では、図５の場合と同じく、天井仕上材７に取付用開口８を形成することなく、天井仕上材７の下面に天井据付機器９が直付けされている。
【００３２】
本発明の第２の構成にかかる天井据付機器用支持装置１０は、前述した第１の構成のものに対して連結機構が異なっており，その他の構成は同様である。図１４は第２の構成の連結機構２０を拡大して示す斜視図である。この連結機構２０は、支持部材１４の両側壁１４ｂに設けた係合孔１７と、これら両側壁１４ｂに支持される連結部材２１と、この連結部材２１に螺合して天井据付機器９を支持するナット２２とを有している。また、前記連結部材２１は、前記係合孔１７に係合して両側壁１４ｂに支持される丸棒状の支軸部２１ａと、この支軸部２１ａからその軸心と直交し、互いに９０°離れた第１および第２の方向(Ａ，Ｂ)に延び、長さが異なる第１および第２の雄ねじ部２１ｂ，２１ｃとを有し、選択された一方の雄ねじ部２１ｂまたは２１ｃに前記ナット２２が螺合される。
【００３３】
図の実施形態では、前記支軸部２１ａの軸心方向の両端面に、この支軸部２１ａと同形でやや小形とされた円形突部２１ｄを外方に向かって一体に突出させ、一方、前記両側壁１４ｂには円形突部２１ｄに係合する円形状の係合孔１７を形成して、この係合孔１７に円形突部２１ｄを係合させるようにしている。このとき、前記支軸部２１ａにおける円形突部２１ｄの周りが係合孔１７の周囲に当接して、前記支軸部２１ａの係合孔１７からの抜け止めとなる。前記支軸部２１ａの突部２１ｄの係合孔１７から外方に突出する端部には、支軸部２１ａの脱落を防止する固定用リングを取り付けて、前記各雄ねじ部２１ｂ，２１ｃを水平または垂直状態に位置決めするようにしてもよい。
【００３４】
次に、本発明の第２の構成にかかる天井据付機器用支持装置１０により天井据付機器９を据え付ける場合の手順について説明する。まず、天井埋め込み式の場合には、図１０のように、予め、両端に係止具１５を取り付けた支持部材１４の下方開口部１４ｃに連結部材２１を差し込み、支持部材１４の両側壁１４ｂを外方に押し広げるようにして支軸部２１ａの円形突部２１ｄを前記両側壁１４ｂに形成した係合孔１７に係合させて組み立てた状態のものを、支持部材１４を係止具１５により野縁３，４に係止することによって天井内に設置する。この後、同実施形態のように天井埋め込み式の場合は、係合孔１７を中心に支軸部２１ａを回転させて、長い方の第１雄ねじ２１ｂを支持部材１４の内部側方に、短い方の第２雄ねじ部２１ｃを下方に指向させる。この下方に指向された第２雄ねじ部２１ｃには、図２の場合と同様にして、天井据付機器９の台座９ａに設けた取り付け孔を挿通させながら、前記台座９ａを天井仕上材７の開口８に差し込み、前記第２雄ねじ部２１ｃの挿通端部にナット２２を螺合させることにより、第２雄ねじ部２１ｃを介して埋め込みタイプの台座９ａを支持部材１４に取り付ける。この後は、図３の場合と同様にして、台座９ａの中央下部にカバー９ｂを取り付け、また台座９ａのカバー９ｂの両側に照明用管球Ｌを取り付けて、図１１のように、天井仕上材７に天井据付機器９を埋め込み状に据え付ける。
【００３５】
また、天井直付け式の場合には、図１２のように、前記支持部材１４の係合孔１７を中心に支軸部２１ａを回転させて、短い方の第２雄ねじ部２１ｃを支持部材１４の内部側方に、長い方の第１雄ねじ２１bを下方に指向させ、この第1雄ねじ２１ｂの一部を天井仕上材７に形成した挿通孔７１から下方に突出させる。この後、第１雄ねじ２１ｂに天井据付機器９の台座９ｃに設けた取り付け孔を挿通させて、この第1雄ねじ２１ｂの挿通端部にナット２２を螺合させることにより、台座９ｃを支持部材１４に取り付ける。この後は、図５の場合と同様にして、直付けタイプの台座９３ｃ下部に反射カバー９ｄを取り付け、またカバー９ｄの両側に照明用管球Ｌを取り付けて、図１３のように、天井仕上材７の下面に天井据付機器９を直付けする。
【００３６】
以上の第２の構成によっても、連結部材２１の支持部材１４に設けた係合孔１７への支持が迅速かつ容易に行えるので、連結部材２１に設けた長さの異なる第１および第２雄ねじ部２１ｂ，２１ｃとのいずれか一方にナット２２を介して天井据付機器９を取り付けることにより、第１の構成の場合と同様に、天井据付機器９の天井側への取り付けを迅速かつ容易に行えて施工性が高められる。
【００３７】
しかも、この第２の構成の場合は、前記連結部材２１の支軸部２１ａに、互いに異なる方向に延び、長さが異なる第１および第２雄ねじ部２１ｂ，２１ｃが設けられているので、前記支軸部２１ａを係合孔１７に中心に回転させて、第１および第２の雄ねじ部２１ｂ，２１ｃのいずれか一方を選択して、この選択された雄ねじ部２１ｂまたは２１ｃにナット２２を介して天井据付機器９を取り付けることにより、天井埋め込み式や天井直付け式のように天井に対する据付高さの異なる天井据付機器９を取り付ける場合にも、1つの連結部材２１で対応可能となる。
【００３８】
図１５，図１６は本発明にかかる天井据付機器用支持装置の第３の構成を示す正断面図であって、図１５は天井据付機器を取り付ける前の状態を、図１６は取り付け後の状態をそれぞれ示している。各図では、天井据付機器９として例えば薄型照明器具９ｅを取り付ける場合の実施形態を示している。この薄型照明器具９ｅは、薄型照明器具取付板（ベース部）９ｅａおよび薄型照明器具発光部９ｅｂを備えている。
【００３９】
本発明の第３の構成にかかる天井据付機器用支持装置１０は、前述した第１の構成のものに対して連結機構が異なっており、その他の構成は同様である。図１７は第３の構成の連結機構７０を拡大して示す斜視図である。この連結機構７０は、前記支持部材１４の両側壁１４ｂに形成した矩形状の係合孔１７と、連結部材７０Ａと、これに螺合して前記天井据付機器９を支持するねじ体７０Ｂとを備えている。前記連結部材７０Ａは、軸部７０ａと、これの長さ方向一端に一体に形成され、前記両側壁１４ｂの幅間隔とほぼ同一の幅とされて前記係合孔１７に係合支持される直方体状の頭部７０ｂとを有し、この頭部７０ｂおよび軸部７０ａの内部にはねじ孔７１ｃが貫通状に形成され、このねじ孔７０ｃに頭部７０ｅ付きのねじ体７０Ｂが下方から螺合される。図の実施形態では、前記頭部７０ｂの両側壁１４ｂと対向する両側面に、この頭部７０ｂと同形でやや小形とされた矩形突部７０ｄを外方に向かって一体に突出させ、一方、前記両側壁１４ｂには矩形突部７０ｄに係合する矩形状の係合孔１７を形成して、この係合孔１７に矩形突部７０ｄを係合させるようにしている。このとき、前記頭部７０ｂにおける矩形突部７０ｄの周りが係合孔１７の周囲に当接して、前記連結部材７０Ａの係合孔１７からの抜け止めとなる。
【００４０】
次に、本発明の第３の構成にかかる天井据付機器用支持装置１０により天井据付機器９を据え付ける場合の手順について説明する。まず、図１５のように、予め、両端に係止具１５を取り付けた支持部材１４の下方開口部１４ｃに連結部材７０Ａを差し込み、支持部材１４の両側壁１４ｂを外方に押し広げるようにして連結部材７０Ａの頭部７０ｂを内方に押し込んで、この頭部７０ｂの矩形突部７０ｄを前記両側壁１４ｂに形成した係合孔１７に係合させ、例えば２つの連結部材７０Ａを支持部材１４に所定間隔をおいてそれぞれ吊り下げ状に支持させて組み立てた状態のものを、支持部材１４を係止具１５により野縁３，４に係止することによって天井内に設置する。この後、前記天井仕上材７の開口８の周りに薄型照明器具９ｅの薄型照明器具取付板９ｅａをあてがって、この薄型照明器具取付板９ｅａに設けた取り付け孔から前記連結部材７０Ａに形成したねじ孔７０ｃにねじ体７０Ｂを螺合させ、その頭部７０ｅにより前記薄型照明器具取付板９ｅａを持ち上げて天井仕上材７の下面に当接させた状態で支持部材１４に取り付ける。その後、薄型照明器具取付板９ｅａに薄型照明器具発光部９ｅｂを取り付ける。
【００４１】
以上の第３の構成によっても、支持部材１４に設けた係合孔１７への連結部材７０Ａの支持が迅速かつ容易に行える。また、この連結部材７０Ａのねじ孔７０ｃにねじ体７０Ｂを螺合することにより、薄型照明器具の厚みが薄い場合にも対応可能となり、また第１の構成の場合と同様に、天井据付機器９の天井側への取り付けを迅速かつ容易に行えて施工性が高められる。また、この第３の構成の場合は、支持部材１４に支持される連結部材７０Ａのねじ孔７０ｃに対するねじ体７０Ｂのねじ込み量を調整することにより、天井仕上材の厚みの変動に対応可能となる。
【００４２】
図１８〜図２０は本発明にかかる天井据付機器用支持装置の第４の構成を示す正断面図であって、図１８は天井据付機器を取り付ける前の状態を、図１９は取り付け時の中間状態を、図２０は取り付け後の状態をそれぞれ示している。各図では、天井据付機器９として非常照明器具やスピーカなどを支持する設備プレートの実施形態を示している。
【００４３】
本発明の第４の構成にかかる天井据付機器用支持装置１０は、前述した第１の構成のものに対して連結機構が異なっており、その他の構成は同様である。図２１は第４の構成の連結機構９０を拡大して示す斜視図、図２２は設備プレート（取付板）９ｆを取り付けるときの連結機構９０の動きを示す正断面図である。この連結機構９０は、前記天井据付機器９の設備プレート９ｆの両側に立設させた左右一対の支柱９１，９１と、この支柱９１を支持部材１４に支持させる連結部材９２とを有している。この連結部材９２は、弾性変形可能な板材からなり、上部に操作部９３が設けられて前記支持部材１４に移動可能に支持される上下方向に延びる中央部９４と、これの下端から左右方向に延びる中間結合部９５，９５と、この中間結合部９５からさらに左右方向に連続状に延び、前記支柱９１に挿通される挿通孔９６を有する両端部９７，９７と、前記中央部９４が下動されたとき、その最下方位置で中央部９４の下方への移動を阻止する下動規制部９８とを備えている。前記支柱９１は横断面円形または非円形状に形成し、これと同形状に前記貫通孔９６を形成する。
【００４４】
図の実施形態では、前記下動規制部９８として、前記支持部材１４の上壁部１４ａに前記中央部９４を挿通可能な貫通孔１４ｄを形成し、一方，前記操作部９３を前記貫通孔１４ｄから抜け出ないような正面視逆台形状に形成して、連結部材９２が最下方位置に移動されたとき、前記操作部９３を支持部材１４の貫通孔１４ｄの周りに当接させて、前記中央部９４の下方への移動を規制するようにしている。また、前記連結部材９２の両端部９７の先端側には、それぞれ直交する方向にピン９９が取り付けられ、このピン９９を前記支持部材１４の両側壁１４ｂに設けられた図示しない孔に挿入して結合することにより、前記中央部９４を貫通孔１４ｄに挿通させた状態で連結部材９２を支持部材１４内に支持させている。
【００４５】
前記連結部材９２は、図２２の実線状態から、操作部９３の押動操作により中央部９４が仮想線で示すように最下方位置にまで移動されて、これに伴い各中間結合部９５が下方に、また、両端部９７が上方に変形されたとき、その弾性復元力により両端部９７に設けた各挿通孔９６を支柱９１に噛み込ませて、この支柱９１と連結部材９２を結合させる。このとき、連結部材９２の中央部９４は、その下端が各中間結合部９５と両端部９７との連結部分ａ，ａを結ぶ直線ｂよりも下方に位置されるように押し込まれ、つまり、各中間結合部９５が前記直線ｂよりも下方位置で、中央部９４と中間結合部９５の連結部分cが、前記中間結合部９５と両端部９７との連結部分ａよりも低位となるように変形される。これにより、両端部９７の戻りが阻止されて、両端部９７の挿通孔９６を支柱９１に噛み込み状態に保持させる。
【００４６】
次に、本発明の第４の構成にかかる天井据付機器用支持装置１０により天井据付機器９を据え付ける場合の手順について説明する。まず、図１８のように、予め、支持部材１４に連結部材９２の操作部、中間結合部９５および下動規制部９８を組み込んだ状態で、支持部材１４を前記と同様に野縁３，４に係止して天井内に設置する。次に、天井仕上材７の開口８から設備プレート９ｆに立設した各支柱９１を内方に差し込んで、これら支柱９１を支持部材１４に支持された連結部材９２の両端部９７の挿通孔９６へと挿通させる(図１９)。この後、図２０のように、連結部材９２の操作部９３を下方に押動操作する。これにより、連結部材９２の中央部９４が下動され、これに伴い各中間結合部９５が下方に、また、両端部９７が上方に変形されて、その弾性復元力により両端部９７に設けた各挿通孔９６が支柱９１に噛み込んだ状態に保持されて、この支柱９１と連結部材９２がワンタッチ操作で結合される。こうして、前記設備プレート９ｆが天井仕上材７の開口８の周りに取り付けられる。
【００４７】
なお、前記連結部材９２における中央部９４の操作部９３の下部側には、下動時に前記支持部材１４の上壁部１４ａに形成した貫通孔１４ｄを乗り越えて係止する膨出部を形成して、この膨出部で連結部材９２の上動を阻止して、その両端部９７に設けた各挿通孔９６を支柱９１に噛み込み状態に保持させるようにしてもよい。
【００４８】
以上の第４の構成によっても、天井据付機器９に設けた一対の支柱９１を支持部材１４に支持された連結部材９２に容易に取り付けることができるため、第１の構成の場合と同様に、天井据付機器９の天井側への取り付けを迅速かつ容易に行えて施工性が高められる。
【００４９】
本発明の天井据付機器用支持装置１０に用いる係止具１５には、支持部材１４と野縁３、４の係止をロックするロック部を設けることもできる。図２３は、ロック部を設けた係止具１５の一実施形態を示す斜視図である。同図において、ロック部３０は、係止具１５の第２および第３脚２４、２５の間で、支持部材１４の上壁部１４ａに設けられたロック用開口３１に挿入されるもので、頭部３５と下端の膨出部３６を有する本体３７と、本体３７を保持する保持部３８とからなる。一方、このロック部３０を野縁３、４に共用するように、支持部材１４に取り付けられた係止具１５は、その各脚同士２３と２４、２５と２６をそれぞれ一定間隔を維持して連結する連動用の連結部３２，３２を有する。連結部３２の対向部分には、下方に移動した膨出部３６が当接するように、それぞれ内方に突出する突出部３４が設けられている。連結部３２同士も連結片３３により連結される。
【００５０】
保持部３８は一対のアーム部からなり、各アーム部は、本体３７の側部に長さが短い第１アーム４１が一体成形されて、材料自身の柔軟性により連結部Ｃ１の回りに回動変形可能になっている。この第１のアーム４１にこれより長い第２アーム４２が同様に一体成形され、連結部Ｃ２の回りに回動変形可能になっている。第２アーム４２の先端に引掛部４３が設けられ、この引掛部４３は、アーム部が本体３７の側部に近付けられて折り畳まれた状態で、係止具１５の第２、３脚２４、２５間における上壁部１４ａ上に位置する上取付部２８（図２４（ａ））に引っ掛けて本体３７を吊り下げる。膨出部３６は、本体３７の下方への移動により、上記連結部３２間に挿入されて、その突出部３４に接触して、連結部３２を外方に押圧してロックする。また、本体３７の頭部３５の両側には凹部３９が設けられ、第２アーム４２の先端の引掛部４３の反対側には凸部４４が設けられており、上記ロックの際、この凹部３９に凸部４４が嵌合して、保持部３８もロックされる。
【００５１】
以下、図２４に基づいて、ロック部３０の組立手順とその動作を説明する。
まず、（ａ）のように、保持部３８のアーム部を折り畳み、（ｂ）のようにアーム部を折り畳んだ状態で、本体３７を支持部材１４のロック用開口３１へ挿入する。次いで（ｃ）のように、引掛部４３を係止具１５の上取付部２８に係止させて、本体３７を吊り下げる。こうしてロック部３０は予め支持装置１０に組み立てられる。この状態で、幅狭の野縁３に対しては、（ｄ）のように、係止具１５により支持部材１４を野縁３に取り付けた状態で、本体３７を下方に移動させ、膨出部３６が各連結部３２の突出部３４をそれぞれ外方に押圧し、第２および第３脚２４，２５の凸部２４ａ，２５ａをそれぞれ外方に押圧してロックする。このとき、頭部３５の凹部３９に第２アーム４２の凸部４４が嵌合して、保持部３８もロックされる。
【００５２】
（ｅ）のように、幅広の野縁４に対しては、上記（ｄ）における第２および第３脚２４，２５の凸部２４ａ，２５ａの押圧により、連結部３２により連結された第２，第３脚２４，２５と第1および第４脚２３，２６が連動して、これら脚２３，２６の凸部２３ａ，２６ａを外方に押圧し、幅広の野縁４との係止をロックする。このようにして、ロック部３０により、支持部材１４と野縁３、４の係止を確実にすることができる。
【００５３】
図２５は本発明に用いられる係止具の別の実施形態を示す斜視図である。この実施形態の係止具１５Ａは、１枚の板材をコの字状でツイスト状に折り曲げた２つの部品６０、６０からなり、そのそれぞれの基部６０ａが、支持部材１４の長手方向に沿って支持部材１４の上壁部１４ａの裏面に接合されて、長手方向に並ぶ４本の第１〜４脚６３〜６６をもつ。係止具１５Ａの板材としては、アルミニウム、鉄またはプラスチックのような材料が用いられ、支持部材１４と係止具１５Ａは、例えばスポット溶接、接着剤またはねじ止め等により接合される。第１〜４脚６３〜６６は、曲げ変形による弾性力を有しており、支持部材１４の長手方向の進出位置と後退位置に移動自在である。第１〜４脚６３〜６６はその下部にそれぞれ外方へ突出する凸部６３ａ〜６６ａを有し、またその中間部に第２、３脚６４、６５はそれぞれ外方へ突出する突出部６４ｂ、６５ｂを有し、第１、４脚６３、６６はそれぞれ内方へ突出する突出部６３ｂ、６６ｂを有している。すなわち、この実施形態の係止具１５Ａは、相隣り合う脚同士６３と６４、６５と６６がそれぞれ接触して連動する脚接触部６２を有する。
【００５４】
また、ロック部３０Ａは、前記実施形態のような保持部を有さず、図２６（ａ）に示すように、頭部５５と下端の膨出部５６を有する本体５７からなる。本体５７には、本体５７が上方へ抜けるのを阻止する抜け止め５１が設けられている。膨出部５６には、その両側に突出部５８が設けられている。（ｂ）のように、本体５７の下方への移動により、両脚６４、６５間に挿入されて、（ｃ）のように、これに接触し、（ｄ）のように、両脚６４、６５をそれぞれ外方に押圧する。この際、膨出部５６の突出部５８がそれぞれ両脚６４、６５の凸部６４ａ、６５ａの上部傾斜部分に当接してロックする。これにより、上記と同様に、幅狭の野縁３との係止をロックする。なお、幅広の野縁４に対しても同様に、両脚６４、６５の凸部６４ａ、６５ａの押圧により、上記脚接触部６２により接触した両脚６４、６５に連動して外部側の脚６３ａ，６６ａの凸部６３ａ、６６ａを外方に押圧し、幅広の野縁４との係止をロックする。
【００５５】
なお、この実施形態ではロック部３０Ａを設けているが、ロック部３０Ａを省略してもよい。
【００５６】
図２７は、前記実施形態の変形例に係るロック部３０Ｂを示す。（ａ）に示すように、このロック部３０Ｂは、頭部７５を有する本体７７と、本体７７を保持するとともに下端で外方に突出する保持・突出部７８とからなる。この保持・突出部７８は、一対のアーム部からなり、各アーム部は、本体７７の下端に長さが短い一対の第１アーム７１、７１が一体成形されて、材料自身の柔軟性により連結部Ｃ３の回りに回動変形可能になっている。この第１アーム７１、７１にこれより長い第２アーム７２、７２がそれぞれ同様に一体成形され、連結部Ｃ４の回りに回動変形可能になっている。本体７７が下方へ移動すると、連結部Ｃ４がそれぞれ外方へ突出するようになっている。第２アーム７２の先端に引掛部４３Ｂが設けられ、この引掛部４３Ｂは、アーム部が本体７７の側部に近付けられて折り畳まれた状態で、支持部材１４におけるロック用開口３１近傍の上縁に引っ掛けて本体７７を吊り下げる。また、本体７７の頭部７５の両側には凹部３９Ｂが設けられ、第２アーム７２の先端の引掛部４３Ｂの反対側に設けられた凸部４４Ｂが設けられており、上記ロックの際、この凹部３９Ｂに凸部４４Ｂが嵌合して、保持・突出部７８もロックされる。
【００５７】
この組立手順としては、まず、（ｂ）のように、保持・突出部７８のアーム部を折り畳んだ状態で、本体７７を支持部材１４のロック用開口３１へ挿入する。そののち、（ｃ）のように、引掛部４３Ｂを支持部材１４の上縁に当接させて、本体７７を吊り下げる。こうしてロック部３０Ｂは予め支持具１０に組み立てられる。この状態で、幅狭の野縁３に対しては、（ｄ）のように、係止具１５Ａにより支持部材１４を野縁３に取り付けた状態で、上記連結部Ｃ４は、本体７７の下方への移動により、上記両脚６４、６５間に挿入されて接触して、外方に押圧する。（ｅ）のように、さらに、本体７７を下方へ移動させることにより、両脚６４、６５の凸部６４ａ、６５ａをそれぞれ外方に押圧してロックする。このとき、頭部７５の凹部３９Ｂに第２アーム７２の凸部４４Ｂが嵌合して、保持・突出部７８もロックされる。これにより、上記と同様に、幅狭の野縁３との係止をロックする。なお、幅広の野縁４に対しても同様に、両脚６４、６５の凸部６４ａ、６５ａの押圧により、上記脚接触部６２により両脚６４、６５に連動して外部側の脚６３ａ，６６ａの凸部６３ａ、６６ａを外方に押圧し、幅広の野縁４との係止をロックする。
【００５８】
図２８は、本発明に用いるさらに別の実施形態にかかる係止具を示す正面図である。この実施形態では、支持部材１４と野縁３、４の係止をロックするロック部３０Ｃを有する係止具１５Ｂを示している。この係止具１５Ｂは、図２７（ａ）に示すように、１枚の板材をコの字状に折り曲げた２つの部品８０、８０からなり、長手方向に並ぶ４本の第１〜４脚８３〜８６をもつ。この第１〜４脚８３〜８６は、その下部にそれぞれ外方へ突出する凸部８３ａ〜８６ａを有するが、その中間部は前記実施形態のツイスト状と異なり、ストレート状になっている。
【００５９】
ロック部３０Ｃは、第２および第３脚８４、８５の間で、支持部材１４の上壁部１４ａに設けられたロック用開口３１（図２７（ｂ））に挿入されるもので、頭部７５を有する本体７７と、本体７７を保持するとともに下端で外方に突出する保持・突出部７８とからなる。一方、このロック部３０Ｃを野縁３、４に共用するように、支持部材１４に取り付けられた係止具１５Ｂは、相隣り合う脚同士８３と８４、８５と８６間に挿入されて、それぞれ一定間隔を維持するとともに、相隣り合う脚８３〜８６に接触して連動させる挿入接触部８２、８２を有する。この挿入接触部８２は、例えばコ字状の係止具８０の基部８０ａの裏面から円柱状のものが吊り下げられてなる。
【００６０】
図２８（ａ）に示すように、ロック部３０Ｃの保持・突出部７８は、一対のアーム部からなり、各アーム部は、本体７７の下端に長さが短い一対の第１アーム７１、７１が一体成形されて、材料自身の柔軟性により連結部Ｃ３の回りに回動変形可能になっている。この第１アーム７１、７１にこれより長い第２アーム７２、７２がそれぞれ同様に一体成形され、連結部Ｃ４の回りに回動変形可能になっている。本体７７が下方へ移動すると、連結部Ｃ４がそれぞれ外方へ突出するようになっている。第２アーム７２の先端に引掛部７３が設けられ、この引掛部７３は、アーム部が本体７７の側部に近付けられて折り畳まれた状態で、支持部材１４におけるロック用開口３１近傍の上縁に引っ掛けて本体７７を吊り下げる。
【００６１】
この組立手順としては、まず、（ｂ）のように、保持・突出部７８のアーム部を折り畳んだ状態で、本体７７を支持部材１４のロック用開口３１へ挿入する。次いで（ｃ）のように、引掛部７３を支持部材１４の上縁に当接させて、本体７７を吊り下げる。こうしてロック部３０Ｃは予め支持具１０に組み立てられる。この状態で、幅狭の野縁３に対しては、（ｄ）のように、係止具１５Ｂにより支持部材１４を野縁３に取り付けた状態で、上記連結部Ｃ４は、本体７７の下方への移動により、上記第２、３脚８４、８５間に挿入されて接触して、外方に押圧する。（ｅ）のように、さらに、本体７７を下方へ移動させることにより、両脚８４，８５の凸部８４ａ、８５ａをそれぞれ外方に押圧してロックする。また、本体７７の頭部７５の両側には突出部７９が設けられており、上記ロックの際、この突出部７９とロック用開口３１における支持部材１４の側縁と接触して、保持・突出部７８もロックされる。これにより、上記と同様に、幅狭の野縁３との係止をロックする。なお、幅広の野縁４に対しても同様に、両脚８４，８５の凸部８４ａ、８５ａの押圧により、上記挿入接触部８２により両脚８４，８５に連動して外部側の脚８３ａ，８６ａの凸部８３ａ、８６ａを外方に押圧し、幅広の野縁４との係止をロックする。
【００６２】
なお、この実施形態ではロック部３０Ｃを設けているが、ロック部３０Ｃを省略してもよい。その場合、挿入接触部８２も省略される。
【００６３】
なお、この実施形態では、係止具１５Ｂとして板材をコの字状に折り曲げた同一のものを２つ並べているが、図２９のように、係止具１５Ｃを、長手方向に長い外側のコ字状の部品８８と、その内側に収納される短いコの字状の部品８９で形成してもよい。この場合、ロック部が省略される。
【図面の簡単な説明】
【００６４】
【図１】本発明の天井据付機器用支持装置による天井据付機器の取付状態を示す上方からの斜視図である。
【図２】本発明にかかる天井据付機器用支持装置の第１の構成を示す正断面図であって、天井据付機器を取り付ける前の状態を示している。
【図３】同構成による天井据付機器の取り付け後の状態を示す正断面図である。
【図４】本発明の第１の構成にかかる別の実施形態を示す正断面図であって、天井据付機器を取り付ける前の状態を示している。
【図５】同構成による天井据付機器の取り付け後の状態を示す正断面図である。
【図６】天井据付機器用支持装置に用いる係止具を示す斜視図である。
【図７】天井据付機器用支持装置に用いる連結機構を示す斜視図である。
【図８】連結機構の別の実施形態を示す斜視図である。
【図９】同実施形態の連結機構による支持部材に対するボルトの位置決め状態を示す一部を切り欠いた正面図である。
【図１０】本発明にかかる天井据付機器用支持装置の第２の構成を示す正断面図であって、天井据付機器を取り付ける前の状態を示している。
【図１１】同構成による天井据付機器の取り付け後の状態を示す正断面図である。
【図１２】本発明の第２の構成にかかる別の実施形態を示す正断面図であって、天井据付機器を取り付ける前の状態を示している。
【図１３】同構成による天井据付機器の取り付け後の状態を示す正断面図である。
【図１４】第２の構成の連結機構を示す斜視図である。
【図１５】本発明にかかる天井据付機器用支持装置の第３の構成を示す正断面図であって、天井据付機器を取り付ける前の状態を示している。
【図１６】同構成による天井据付機器の取り付け後の状態を示す正断面図である。
【図１７】第３の構成の連結機構を示す斜視図である。
【図１８】本発明にかかる天井据付機器用支持装置の第４の構成を示す正断面図であって、天井据付機器を取り付ける前の状態を示している。
【図１９】同構成による天井据付機器の取り付け時の中間状態を示す正断面図である。
【図２０】同構成による天井据付機器の取り付け後の状態を示す正断面図である。
【図２１】第４の構成の連結機構を示す斜視図である。
【図２２】天井据付機器を取り付けるときの連結機構の動きを示す正断面図である。
【図２３】本発明で用いられるロック部を設けた係止具の一実施形態を示す斜視図である。
【図２４】同実施形態のロック部の動きを示す正面図である。
【図２５】係止具の別の実施形態を示す斜視図である。
【図２６】同実施形態に用いるロック部を示す正面図である。
【図２７】係止具のさらに別の実施形態を示す正面図である。
【図２８】係止具のさらに別の実施形態を示す正面図である。
【図２９】係止具のさらに別の実施形態を示す正面図である。
【符号の説明】
【００６５】
３、４：野縁
９：天井据付機器
１４：支持部材
１４ｂ：側壁
１５，１５Ａ，１５Ｂ，１５Ｃ：係止具
１６，２０，７０，９０：連結機構
１７：係合孔
１８：ボルト
１８ａ：頭部
１９，２２：ナット
２１，７０Ａ，９２：連結部材
２１ａ：支軸部
２１ｂ：第１雄ねじ部
２１ｃ：第２雄ねじ部
７０ｃ：ねじ孔
７０Ｂ：ねじ体
９１：支柱
９３：操作部
９４：中央部
９５：中間結合部
９６：挿通孔
９７：端部
９８：下動規制部
Ａ：第１の方向
Ｂ：第２の方向
【図１】
2006070561.tif 000003
【図２】
2006070561.tif 000004
【図３】
2006070561.tif 000005
【図４】
2006070561.tif 000006
【図５】
2006070561.tif 000007
【図６】
2006070561.tif 000008
【図７】
2006070561.tif 000009
【図８】
2006070561.tif 000010
【図９】
2006070561.tif 000011
【図１０】
2006070561.tif 000012
【図１１】
2006070561.tif 000013
【図１２】
2006070561.tif 000014
【図１３】
2006070561.tif 000015
【図１４】
2006070561.tif 000016
【図１５】
2006070561.tif 000017
【図１６】
2006070561.tif 000018
【図１７】
2006070561.tif 000019
【図１８】
2006070561.tif 000020
【図１９】
2006070561.tif 000021
【図２０】
2006070561.tif 000022
【図２１】
2006070561.tif 000023
【図２２】
2006070561.tif 000024
【図２３】
2006070561.tif 000025
【図２４】
2006070561.tif 000026
【図２５】
2006070561.tif 000027
【図２６】
2006070561.tif 000028
【図２７】
2006070561.tif 000029
【図２８】
2006070561.tif 000030
【図２９】
2006070561.tif 000031